(57)【特許請求の範囲】
【請求項１】
動画を撮影するカメラと、音声を入力するマイクロホンと、文字または画像の表示を行う第１の表示手段および第２の表示手段と、連結された上筐体と下筐体との開閉を検出する開閉検出手段とを備える電子機器であって、
動画撮影中、前記カメラからの動画像及び前記マイクロホンからの音声をメモリへ取り込みながら、前記開閉検出手段が開状態を検出したときは、前記第１の表示手段に前記動画像の表示を行い、前記開閉検出手段が閉状態を検出したときは、前記第２の表示手段に前記動画像表示することなく前記動画撮影中である旨のメッセージの表示を行う制御手段と
を具備することを特徴とする電子機器。
【請求項２】
動画を撮影するカメラと、音声を入力するマイクロホンと、文字または画像の表示を行う第１の表示手段および第２の表示手段と、連結された上筐体と下筐体との開閉を検出する開閉検出手段とを備える電子機器であって、
動画撮影中、前記カメラからの動画像及び前記マイクロホンからの音声をメモリへ取り込みながら、前記開閉検出手段が開状態を検出したときは、前記第１の表示手段に前記動画像の表示を行い、前記開閉検出手段が閉状態を検出したときは、前記第２の表示手段に前記動画像の替わりに前記動画撮影中である旨のメッセージの表示を行う制御手段と
を具備することを特徴とする電子機器。
【請求項３】
動画を撮影するカメラと、音声を入力するマイクロホンと、文字または画像の表示を行う第１の表示手段および第２の表示手段と、連結された上筐体と下筐体との開閉を検出する開閉検出手段とを備える電子機器であって、
動画撮影中、前記カメラからの動画像及び前記マイクロホンからの音声をメモリへ取り込みながら、前記開閉検出手段が開状態を検出したときは、前記第１の表示手段に前記動画像の表示を行い、前記開閉検出手段が閉状態を検出したときは、前記第２の表示手段に前記動画撮影中である旨のメッセージのみの表示を行う制御手段と
を具備することを特徴とする電子機器。
【請求項４】
動画を撮影するカメラと、音声を入力するマイクロホンと、文字または画像の表示を行う第１の表示手段および第２の表示手段と、連結された上筐体と下筐体との開閉を検出する開閉検出手段とを備える電子機器であって、
動画撮影中、前記カメラからの動画像及び前記マイクロホンからの音声をメモリへ取り込みながら、前記開閉検出手段が開状態を検出したときは、前記第１の表示手段に前記動画像撮影中である旨のメッセージの表示を行わずに前記動画像の表示を行い、前記開閉検出手段が閉状態を検出したときは、前記第２の表示手段に前記動画撮影中である旨のメッセージの表示を行う制御手段と
を具備することを特徴とする電子機器。
【請求項５】
前記制御手段は、
前記開閉検出手段が開状態を検出したときは、さらに前記第２の表示手段の表示をオフにし、前記開閉検出手段が閉状態を検出したときは、さらに前記第１の表示手段の表示をオフにする
ことを特徴とする請求項１及至４のいずれか１項に記載の電子機器。
【請求項６】
前記第１の表示手段は、前記開状態のときに外部に露出し、前記閉状態のときに外部から隠れ、前記第２の表示手段は、前記開閉の状態に関わらず外部に露出していることを特徴とする請求項１及至５のいずれか１項に記載の電子機器。
【請求項７】
前記メッセージは文字情報であることを特徴とする請求項１及至６のいずれか１項に記載の電子機器。
【発明の詳細な説明】
【技術分野】
【０００１】
本発明は、上筐体と下筐体とが連結された電子機器に関する。
【背景技術】
【０００２】
近年、動画撮影カメラ付きの移動通信端末装置が使用されるようになっている。
【０００３】
図４は、移動通信端末装置の一般的な折り畳み式の携帯電話機の外観図を示し、図４（ａ）は正面図、図４（ｂ）は背面図を示す。
【０００４】
以下、図面を参照して従来の携帯電話機について説明する。折り畳み式の携帯電話機は、上筐体５１と下筐体５２とを、ヒンジ５３により回動可能に連結させて開閉する構造としている。また、この開閉を検出する折り畳みスイッチを筐体内部に有する（図示せず）。
【０００５】
上筐体５１の正面には、メインＬＣＤ１０４とスピーカ５４が配置され、更に上筐体５１の頂部にはアンテナ１１２が配置される。
【０００６】
また、上筐体５１の背面には、背面ＬＣＤ１０５と動画撮影用のカメラ１０３が配置される。
【０００７】
下筐体５２の正面には、テンキーやファンクションキーやクロスキー等のキー１０１と、マイクロホン１０７が配置される。
【０００８】
この構成において、動画撮影時は、上筐体５１を開いた状態にして折り畳みスイッチがＯＦＦとなり撮影および録音を行っている。すなわち、操作者はカメラ１０３を被写体に向け、そのカメラ１０３からの動画像をメインＬＣＤ１０４で確認しながら撮影し、撮影時の音声はマイクロホン１０７から内部の音声メモリ１０に入力している。上筐体５１が閉じられると、折り畳みスイッチがＯＮとなり動画撮影は終了する。
【０００９】
別の従来技術として、折り畳み式の携帯電話機ではないが、単一のＬＣＤを有して、このＬＣＤを覆うＬＣＤケースのみが開閉可能な構成とし、且つ動画撮影用のカメラを備える無線情報装置がある（例えば、特許文献１参照。）。
【００１０】
この無線情報装置にあっては、ＬＣＤケースの開閉スイッチで開状態が検出された場合にＴＶ電話モードと判別し、ＴＶ電話モードではハンズフリーで操作者の声が遠いのでマイクロホンの入力ゲインを大きくすることが行われ、又、カメラと単一のＬＣＤの電源をオンにして動画撮影を行っている。
【先行技術文献】
【特許文献】
【００１１】
【特許文献１】特開平１１−２１５４７７号公報（第１−２０頁、図１−３３）
【発明の概要】
【発明が解決しようとする課題】
【００１２】
ところで、上述した従来の装置においては、動画撮影時には消費電流の大きなメインＬＣＤまたは単一のＬＣＤの電源をオンにするため、電池使用時間が短くなる欠点があった。
【００１３】
また、筐体を閉じた状態での動画撮影はできない欠点があった。
【００１４】
従って、本発明は、消費電流の小さな動画撮影モードを提供し、また筐体を閉じたコンパクトな状態でも撮影可能とする電子機器を提供することを目的とする。
【課題を解決するための手段】
【００１５】
上記目的を達成するために、本発明の請求項１に記載の電子機器は、動画を撮影するカメラと、音声を入力するマイクロホンと、文字または画像の表示を行う第１の表示手段および第２の表示手段と、連結された上筐体と下筐体との開閉を検出する開閉検出手段とを備える電子機器であって、動画撮影中、前記カメラからの動画像及び前記マイクロホンからの音声をメモリへ取り込みながら、前記開閉検出手段が開状態を検出したときは、前記第１の表示手段に前記動画像の表示を行い、前記開閉検出手段が閉状態を検出したときは、前記第２の表示手段に前記動画像表示することなく前記動画撮影中である旨のメッセージの表示を行う制御手段とを具備することを特徴とする。
【発明の効果】
【００１６】
本発明によれば、上筐体と下筐体とが連結された電子機器において、動画撮影時の動画像の表示先を消費電流の大きなメインＬＣＤにするか、消費電流の小さな背面ＬＣＤにするかを選択でき、背面ＬＣＤを表示先として選択することで消費電流を軽減させることが可能となる。また、折り畳んでコンパクトな状態でも動画撮影を行うことができる。
【図面の簡単な説明】
【００１７】
【図１】本発明に関わる実施の形態を示す携帯電話機のブロック図。
【図２】図１に示した携帯電話機の動画像撮影モードの動作フローチャート。
【図３】図１に示した携帯電話機のマイクロホンの入力ゲイン制御の動作フローチャート。
【図４】一般的な折り畳み式の携帯電話機の外観図。
【発明を実施するための形態】
【００１８】
図１、図２および図３は、本発明を携帯電話機に適用した実施の形態を示し、図１は携帯電話機のブロック図、図２および図３は動画撮影モードでのフローチャートである。
【００１９】
図１に示すように、この携帯電話機の主要部は、キー１、制御部２、カメラ３、メインＬＣＤ４（第１の表示手段）、背面ＬＣＤ５（第２の表示手段）、画像メモリ６、マイクロホン７、ゲイン調整部８、音声メモリ１０、通信部１１、アンテナ１２および折り畳みスイッチ１３から構成される。
【００２０】
動画撮影時は、キー１からの情報が制御部２へ入力される。ここで、キー１からのキー操作により、動画撮影モードが指示されると、制御部２は、カメラ３からの動画信号を取り込み、画像メモリ６に保存すると共に、メインＬＣＤ４又は背面ＬＣＤ５にその動画像等を表示する。
【００２１】
また制御部２は、マイクロホン７からの音声信号をゲイン制御部８を経由して取り込むが、その取り込み時に、制御部２からのゲイン切替信号９によりゲイン制御部８がマイクロホン７からの入力ゲインを可変して、取り込む音声信号の大きさを可変するよう動作する。取り込んだ音声信号は音声メモリ１０に保存する。
【００２２】
動画および音声信号を通信相手へ送信する場合は、制御部２は動画および音声信号の符号化、変調等を行い、通信部１１を経由して、アンテナ１２から送信する。
【００２３】
又、制御部２は折り畳みスイッチ１３をチェックして、図４に示す折り畳み式携帯電話機の上筐体５１が開かれているか閉じているかを判断して、上記動画信号および音声信号の取り込みを制御する。
【００２４】
次に、動画撮影時の動作を図２のフローチャートで説明する。まず、制御部２はキー１をチェックして、動画撮影が指示されると、動画撮影モードに入り（ステップＳ１）、以降、折り畳みスイッチ１３のＯＮ／ＯＦＦに関わらず、即ち上筐体５１の開閉状態に関わらず、動画撮影モードを継続する。
【００２５】
動画撮影モードに入ると、制御部２が、最初に動画像および音声信号の取り込みに関する制御を行う。すなわち、カメラ３からの動画像を画像メモリ６へ取り込み、また、撮影時の音声を取りこむためマイクロホン７からの音声信号を音声メモリ１０への取り込みを行う（ステップＳ２、ステップＳ３）。
【００２６】
次に制御部２は、動画撮影モード中における動画像等の表示に関する制御を行う。すなわち、先ずキー１から予め指定された表示先画面の選択操作のチェック、および折り畳みスイッチ１３のチェック（ステップＳ４、ステップＳ５）を行う。
【００２７】
このチェックで、表示先としてメインＬＣＤ４が選択され、且つ上筐体５１が開状態（折り畳みスイッチがＯＦＦ）にある場合、制御部２はメインＬＣＤ４に動画像の表示を行い、背面ＬＣＤ５の表示をオフにする（ステップＳ６，ステップＳ７）。メインＬＣＤ４への動画像の表示は、カメラ３からの動画像を直接表示しても良いし、画像メモリ６に保存された動画像を表示するようにしても良い。
【００２８】
これにより、解像度の良いメインＬＣＤ４を利用した通常の動画撮影を行うことができる。
【００２９】
ステップＳ４のチェックで表示先としてメインＬＣＤ４が選択され、且つステップＳ５のチェックで上筐体５１が閉状態にある場合、制御部２はメインＬＣＤ４の表示をオフにすると共に、背面ＬＣＤ５に「動画撮影中」等のメッセージ表示を行う（ステップＳ８、ステップＳ９）。背面ＬＣＤ５に表示されるメッセージは予め制御部２の内蔵メモリに記憶されているものを読み出して表示するもので、メッセージの内容は上記の例に限定されない。
【００３０】
ここでは背面ＬＣＤ５にメッセージ表示を行うとしたが、図２のステップＳ９の替わりに、背面ＬＣＤ５にカメラ３からの動画像を直接表示するか、または画像メモリ６に保存された動画像を表示することもできる。これにより、操作者はカメラ３と背面ＬＣＤ５を見ながら自画像等の撮影を行うことができる。また、ステップＳ８でメインＬＣＤの表示をオフにしたが、メインＬＣＤの表示をオンのままでステップＳ９で背面ＬＣＤに表示をしても、背面ＬＣＤを生かすことができる。
【００３１】
従って、本発明によれば、折り畳み式の携帯電話において、上筐体が閉じられたコンパクトな形状、即ち、折り畳みスイッチがＯＮして通常は無線部を除き装置が非動作な状態であってもカメラを用いた動画撮影を実施することができる。この場合、消費電流の大きなメインＬＣＤ４の表示をオフにし、しかも動画撮影中であることを背面ＬＣＤ５にメッセージ表示又はカメラで撮影した動画像の表示を行って操作者に知らしめることができる。
【００３２】
ステップＳ４のチェックで、表示先として背面ＬＣＤ５が選択された場合は、上筐体５１の開閉状態に関わらず、制御部２はメインＬＣＤ４の表示をオフにし、背面ＬＣＤ５に動画像の表示を行う（ステップＳ１０、ステップＳ１１）。
【００３３】
これにより、消費電流の小さな背面ＬＣＤ５を選択してカメラで撮影した動画像の表示を行い、動画撮影を実行することができる。
【００３４】
動画撮影モード中は、更に制御部２は、図３に示すマイクロホンの入力ゲインに関する制御を行う。すなわち、上筐体５１が開状態にある場合は、折り畳みスイッチ１３のＯＦＦ信号によりゲイン制御部７におけるマイクロホン７の入力ゲインを通常の設定値に設定するようゲイン切替信号９を出力する（ステップＳ１３）。従って、上筐体５１が開状態にあっては通常の入力ゲインによって音声信号が処理される。一方、上筐体５１が閉状態にある場合は、折り畳みスイッチ１３のＯＮ信号によりゲイン制御部７におけるマイクロホン７の入力ゲインを通常の設定値より大きな設定値に設定するようゲイン切替信号９を出力する（ステップＳ１４）。
【００３５】
即ち、上筐体５１が閉状態の時にはマイクロホン７が上筐体５１と下筐体５２との間に挟まれて隠れてしまい、音声の通りが悪くなる。本発明では、折り畳みスイッチ１３のＯＮ／ＯＦＦ信号から上筐体の開状態／閉状態を判断し、閉状態と判断した時にはゲイン制御部８の入力ゲインを大きく設定するものである。
【００３６】
この実施の形態では、入力ゲインを固定値として切り替えたが、ＡＧＣ等で感度を切り替えるようにしてもよい。
【符号の説明】
【００３７】
１、１０１  キー
２  制御部
３、１０３  カメラ
４、１０４  メインＬＣＤ
５、１０５  背面ＬＣＤ
６  画像メモリ
７、１０７  マイクロホン
８  ゲイン制御部
９  ゲイン切替信号
１０  音声メモリ
１１  通信部
１２、１１２  アンテナ
１３  折り畳みスイッチ
５１  上筐体
５２  下筐体
５３  ヒンジ
５４  スピーカ
【図１】
0004592810.tif 000002
【図２】
0004592810.tif 000003
【図３】
0004592810.tif 000004
【図４】
0004592810.tif 000005